(57)【要約】【課題】非常用照明器具のモニタ用光源を点灯させるスイッチを押しやすく、かつ、耐久性の優れた構成を提供する。【解決手段】電源ユニット４は、一方の面１７Ａに点検スイッチ４５Ａが配置された回路基板１７と、回路基板１７を収納するケース１５とを備える。ケース１５は、一体成形されている。ケース１５は、回路基板１７の他方の面１７Ｂに対向する底部１５Ａと、底部１５から回路基板１７の方向へ回路基板１７の一方の面１７Ａを超える位置まで延びる片持ち梁の形状に形成され、弾性変形した場合に一方の面１７Ａを超えている部分４３１が点検スイッチ４５Ａに接触可能な梁部４３０Ａとを備える。【選択図】図１３
2019012651.tif 000002
【特許請求の範囲】
【請求項１】
一方の面に点検スイッチが配置された回路基板と、
前記回路基板を収納するケースと、
を備え、
前記ケースは、一体成形されているとともに、
前記一方の面の裏面となる他方の面に対向する底部と、
前記底部から前記回路基板の方向へ前記回路基板の前記一方の面を超える位置まで延びる片持ち梁の形状に形成され、弾性変形した場合に前記一方の面を超えている部分が前記点検スイッチに接触可能な梁部と
を備える回路ユニット。
【請求項２】
前記梁部は、
弾性変形した場合に前記一方の面を超えている部分の端部が前記点検スイッチに接触可能である請求項１に記載の回路ユニット。
【請求項３】
前記回路基板は、
前記点検スイッチとして、第１の点検スイッチと第２の点検スイッチとが配置されており、
前記ケースは、
前記梁部として、
弾性変形した場合に前記一方の面を超えている部分が前記第１の点検スイッチに接触可能な第１の梁部と、
弾性変形した場合に前記一方の面を超えている部分が前記第２の点検スイッチに接触可能な第２の梁部と
を有する請求項１または請求項２に記載の回路ユニット。
【請求項４】
請求項１から請求項３のいずれか一項に記載の回路ユニットを備える照明器具。
【発明の詳細な説明】
【技術分野】
【０００１】
本発明は、回路ユニット及びこの回路ユニットを備える照明器具に関する。
【背景技術】
【０００２】
従来から、通常時は商用電源で蓄電池を充電し、商用電源が遮断された非常時には蓄電池の電力で光源を点灯する非常用照明器具が知られており、非常用照明器具では動作を点検するための点検スイッチを備えている（例えば、特許文献１）。
【先行技術文献】
【特許文献】
【０００３】
【特許文献１】特開２０１４−３２８６８号公報
【発明の概要】
【発明が解決しようとする課題】
【０００４】
従来の非常用照明器具では、光源を点灯させるための点検スイッチを押しにくいという課題があった。この発明は、点検スイッチを押しやすく、かつ、耐久性の優れた回路ユニットの提供を目的とする。
【課題を解決するための手段】
【０００５】
本発明の回路ユニットは、
一方の面に点検スイッチが配置された回路基板と、
前記回路基板を収納するケースと、
を備え、
前記ケースは、一体成形されているとともに、
前記一方の面の裏面となる他方の面に対向する底部と、
前記底部から前記回路基板の方向へ前記回路基板の前記一方の面を超える位置まで延びる片持ち梁の形状に形成され、弾性変形した場合に前記一方の面を超えている部分が前記点検スイッチに接触可能な梁部と
を備える。
【発明の効果】
【０００６】
本発明の回路ユニットは、梁部を備えるので、点検スイッチを押しやすく、かつ、耐久性の優れた手段を提供することができる。
【図面の簡単な説明】
【０００７】
【図１】実施の形態１の図で、照明器具１を下方から見た斜視図。
【図２】実施の形態１の図で、照明器具１を上方から見た斜視図。
【図３】実施の形態１の図で、照明器具１の５面図。
【図４】実施の形態１の図で、照明器具１の分解斜視図。
【図５】実施の形態１の図で、本体２の斜視図。
【図６】実施の形態１の図で、本体２の５面図。
【図７】実施の形態１の図で、電源ユニット４をケース１５の側から見た斜視図。
【図８】実施の形態１の図で、電源ユニット４をカバー１６の側から見た斜視図。
【図９】実施の形態１の図で、電源ユニット４の６面図。
【図１０】実施の形態１の図で、電源ユニット４におけるケース１５と回路基板１７との組み立てを示す図。
【図１１】実施の形態１の図で、電源ユニット４におけるケース１５と回路基板１７とカバー１６の組み立てを示す図。
【図１２】実施の形態１の図で、電源ユニット４の３面図。
【図１３】実施の形態１の図で、電源ユニット４の図ＡＡ−ＡＡ端面図とその部分拡大図。
【図１４】実施の形態１の図で、蓄電池１１の５面図。
【図１５】実施の形態１の図で、蓄電池１１の斜視図および電源ユニットとの取付構造を示す模式図。
【図１６】実施の形態１の図で、モニタ用ＬＥＤ４２の色および状態と、照明器具１の状態との関係を示す表。
【図１７】実施の形態１の図で、光源ユニット５０の斜視図。
【図１８】実施の形態１の図で、光源ユニット５０の５面図。
【図１９】実施の形態１の図で、光源５の一例を示す図。
【図２０】実施の形態１の図で、光源５の別例を示す図。
【図２１】実施の形態１の図で、レンズ６の形状のバリエーションを示す図。
【図２２】実施の形態１の図で、ホルダ９の斜視図。
【図２３】実施の形態１の図で、図２２の（ａ）に示すホルダ９の５面図。
【図２４】実施の形態１の図で、図２２の（ｂ）に示すホルダ９の４面図。
【図２５】本実施の形態１の図で、光源ユニット５０の回転を示す図であり、光源ユニット５０が開いた状態を示す斜視図。
【図２６】実施の形態１の図で、光源ユニット５０の回転を示す図であり、光源ユニット５０が開いた状態を示す斜視図。
【図２７】実施の形態１の図で、光源ユニット５０の回転を示す図であり、光源ユニット５０が開いた状態を示す側面図。
【図２８】実施の形態１の図で、取付金具１３の斜視図。
【図２９】実施の形態１の図で、取付金具１３の６面図。
【図３０】実施の形態１の図で、ＳＵＢ−ＡＳＳＹ６０の斜視図。
【図３１】実施の形態１の図で、ＳＵＢ−ＡＳＳＹ６０の斜視図。
【図３２】実施の形態１の図で、ＳＵＢ−ＡＳＳＹ６０の５面図。
【図３３】実施の形態１の図で、枠保持バネ１４１の斜視図。
【図３４】実施の形態１の図で、枠保持バネ１４１の４面図。
【図３５】実施の形態１の図で、取付バネ３の斜視図。
【図３６】実施の形態１の図で、取付バネ３の５面図。
【図３７】実施の形態１の図で、取付バネ３と枠保持バネ１４１との取り付け状態を示す図。
【図３８】実施の形態２の図で、照明器具１の分解斜視図。
【図３９】実施の形態２の図で、光源ユニット５０の回転を示す図であり、光源ユニット５０が開いた状態を示す斜視図。
【図４０】実施の形態２の図で、光源ユニット５０の５面図。
【図４１】実施の形態２の図で、光源ユニット５０の分解斜視図。
【図４２】実施の形態３の図で、照明器具１ｂの斜視図。
【図４３】実施の形態３の図で、照明器具１ｂの５面図。
【図４４】実施の形態３の図で、照明器具１ｂの分解斜視図。
【図４５】実施の形態３の図で、照明器具１ｂの別例の照明器具１ｂ−１の斜視図。
【図４６】実施の形態３の図で、照明器具１ｂの別例の照明器具１ｂ−１の５面図。
【図４７】実施の形態３の図で、照明器具１ｂの別例の照明器具１ｂ−１の分解斜視図。
【図４８】実施の形態３の図で、電源線保護用ブッシュ１２ａの５面図および斜視図。
【発明を実施するための形態】
【０００８】
以下、本発明の実施の形態について、図を用いて説明する。なお、各図中、同一または相当する部分には、同一符号を付している。実施の形態の説明において、同一または相当する部分については、説明を適宜省略または簡略化する。
また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置および向きを限定するものではない。
【０００９】
実施の形態１．
図１は、照明器具１を下方から見た斜視図である。
図２は、照明器具１を上方から見た斜視図である。
図３は、照明器具１の５面図である。
図４は、照明器具１の分解斜視図である。
【００１０】
本実施の形態に係る照明器具１は、取付面に形成された取付孔に埋め込まれて設置される埋め込み型の照明器具である。取付面の具体例は、天井面である。
照明器具１は、本体２と、取付バネ３と、光源ユニット５０と、枠１４とを有する。本体２の内部には、端子台１２と、電源ユニット４と、蓄電池１１とが収納される。端子台１２と電源ユニット４と蓄電池１１とは、取付金具１３を用いて本体２の内部に配置される。
【００１１】
＜本体２＞
図５は、本体２の斜視図である。
図６は、本体２の５面図である。
本体２は、筒状の筐体であり、天面が塞がっており下面が開口している。下面の開口部２２の周囲は外側に向けて鍔部２１が形成されている。鍔部２１は、取付面に設けられた取付孔の外周に引っかかる。本実施の形態では、本体２は板金により形成される。しかし、本実施の形態で説明する機能を有していれば、本体２の形成方法は、アルミダイキャストあるいは絞りといった形成方法でもよい。
【００１２】
本体２には、取付バネ３と、枠１４を保持する枠保持バネ１４１が取り付けられている。本体２の側面部には、平面状の平面部２０１が形成される。平面部２０１には、取付バネ３を取り付けるバネ取付部３１が形成されている。バネ取付部３１は筐体中心に対し、対向面に対称に設けられている。取付バネ３は、本体２の外側に向け円弧をつないだ形状である。取付面に本体２を取り付ける際は、取付バネ３を本体２に向けた方向に弾性変形させ、取付孔に本体２を挿入する。その後、本体２の鍔部２１が取付孔の縁部に当接する場所で取付バネ３が元の形状に戻る方向に変形することで、本体２が取付面に固定される。
【００１３】
＜取付バネ３と枠保持バネ１４１との配置関係＞
取付バネ３と枠保持バネ１４１との配置関係については、取付バネ３と枠保持バネ１４１とは同一面に配置されている。以下に説明する。
照明器具１は、本体２と、取付バネ３と、枠１４と、枠保持バネ１４１とを備えているが、これらは以下のようである。
（１）図４、図５に示すように、本体２は、両端を有する中空部材であり、両端のうちの一方の端部２Ａに端板２Ｄを有し両端のうちの他方の端部２Ｂが開口している。本体２の天面をなす端板２Ｄには、端子台１２に対応する開口２３、電源ユニット４と取付金具１３とを固定するための取付穴２４、２５およびネジ穴２６が形成されている。
（２）図２及び後述の図３７に示すように、取付バネ３は、本体２に取り付けられ、本体２が天井のような部材に取り付けられる場合に本体２を部材に対して保持する機能を有する。
（３）図１、図４に示すように、枠１４は、本体２の、開口している他方の端部２Ｂに取り付けられる。
（４）図３３、図３４で後述する枠保持バネ１４１は、枠１４を他方の端部２Ｂに取り付けるためのバネである。
（５）図５に示すように、本体２は、中空部材の側部２Ｃの外側表面２８に、平面部２０１である第１の面２８Ａと、第１の面２８Ａと連続し第１の面２８Ａとは形状の異なる第２の面２８Ｂとを有する。本体２は、第１の面２８Ａに、取付バネ３を取り付けるための本体保持バネ取付部であるバネ取付部３１と、枠保持バネ１４１を取り付けるための枠保持バネ取付部である枠取付部３２とが形成されている。なお、第１の面２８Ａは、平坦である。
（６）照明器具１は、発光部であるＬＥＤ５２を点灯させる点灯回路が配置された回路基板１７（図１０）を有するが、回路基板１７は、第１の面２８Ａに対する位置関係が向き合う位置関係となっている。ここで向き合う位置関係とは、回路基板１７は後述のように収納ケース８２（図１１）に収納されるが、透視した場合には、回路基板１７は第１の面２８Ａに対向するように、配置されている。
【００１４】
取付バネ３と枠保持バネ１４１とが同一面である平面部２０１（第１の面２８Ａ）に配置される点をさらに説明する。図５に示すように、本体２には第１の面２８Ａである平面部２０１に、バネ取付部３１と、バネ取付部３１を挟む一対の開口である枠取付部３２とが形成されている。枠取付部３２は、バネ取付部３１と干渉しない位置に配置される。枠取付部３２がバネ取付部３１とともに同一面の平面部２０１に形成されることで、本体２を製作する際に、バネ取付部３１と枠取付部３２とを同時に加工することが可能となる。また、バネ取付部３１と枠取付部３２とが同一の平面部２０１に形成されているため、平面部２０１の箇所のみ、他部品との干渉を考慮すればよい。よって、本体２の内部の空間を有効に使用することができる。
【００１５】
＜電源ユニット４＞
図７は、電源ユニット４をケース１５の側から見た斜視図である。
図８は、電源ユニット４をカバー１６の側から見た斜視図である。
図９は、電源ユニット４の６面図である。
図１０は、電源ユニット４におけるケース１５と回路基板１７との組み立てを示す図である。
図１１は、電源ユニット４におけるケース１５と回路基板１７とカバー１６の組み立てを示す図である。
図１２は、電源ユニット４の３面図である。
図１３は、電源ユニット４のＡＡ−ＡＡ端面図とその部分拡大図である。
【００１６】
電源ユニット４は、ケース１５、カバー１６および回路基板１７を備える。ケース１５、カバー１６はプラスチックで成型されており、例えばＰＣ、ＰＣ＋ＡＢＳ、ＰＢＴ、ＰＰ等が用いられる。ケース１５、カバー１６は適切な絶縁処置が施されていれば、ＳＧＣＣ、アルミニウム等の金属で構成されていてもよい。回路基板１７は、商用電源からの電力供給時に蓄電池１１を充電する充電回路、および、商用電源が停電した際に蓄電池１１の電力で光源５を点灯させる点灯回路を備える。
また、回路基板１７は、蓄電池１１により規定時間の間、光源を点灯可能か否かを判定する点検回路、点検動作を開始するための点検スイッチ４５、および、リモートコントローラにより点検動作を実行するための信号受信部４１を備える。ケース１５は回路基板１７をケース１５に乗せるためのガイド部１５３を有している。回路基板１７は、２つの点検スイッチ４５を有する。一方の点検スイッチ４５を点検スイッチ４５Ａと記し、他方の点検スイッチ４５を点検スイッチ４５Ｂと記す。区別の必要がない場合は点検スイッチ４５と記す。点検スイッチ４５Ｂは自己点検のスイッチである。
【００１７】
図１４は、蓄電池１１の５面図である。
図１５は、蓄電池１１の斜視図および電源ユニットとの取付構造を示す模式図である。カバー１６は、蓄電池１１のコネクタ部１１１が接続される接続部１６７を有している。また、カバー１６は蓄電池１１を取り付けるためのガイド部１６２を有している。蓄電池１１はガイド部１６２に対応する蓄電池側ガイド部１１２を有しており、電源ユニット４の下方向（図１５の下方向）より上方向にむけてスライドさせて嵌合させる。蓄電池１１の固定部１１３がカバー１６の溝部１６３に嵌ることで下方向への移動が規制され、蓄電池１１が電源ユニット４に固定される。また、固定部１１３を溝部１６３に対して反対方向に変形させること（図１５のＰ１方向）で電源ユニット４から取り外すことが可能となる。
【００１８】
＜押しボタン４３の構成＞
押しボタン４３の構成を説明する。押しボタン４３はケース１５と一体形成されている。押しボタン４３は弾性変形することによって点検スイッチ４５に当たり、点検スイッチ４５をオンにする。ケース１５は、２つの押しボタン４３を有する。一方の押しボタン４３を押しボタン４３ａと記し、他方の押しボタン４３を押しボタン４３ｂと記す。押しボタン４３ａは弾性変形によって点検スイッチ４５Ａに当たり点検スイッチ４５Ａをオンにする。押しボタン４３ｂは弾性変形によって点検スイッチ４５Ｂに当たり点検スイッチ４５Ｂをオンにする。押しボタン４３ａ，押しボタン４３ｂについては、区別の必要がない場合は押しボタン４３と記す。
【００１９】
図１０、図１１に示すように、回路ユニットである電源ユニット４は、一方の面１７Ａに点検スイッチ４５が配置された回路基板１７と、回路基板１７を収納する収納ケース８２とを備えている。図１１に示すように、収納ケース８２はケース１５とカバー１６とからなる。ケース１５は一体成形されている。ケース１５は、図１３に示すように、回路基板１７の一方の面１７Ａの裏面となる他方の面１７Ｂに対向する底部１５Ａと、底部１５Ａから回路基板１７の方向へ回路基板１７の一方の面１７Ａを超える位置まで延びる片持ち梁の形状に形成され、弾性変形した場合に一方の面１７Ａを超えている部分４３１が点検スイッチ４５に接触可能な梁部４３０とを備える。梁部４３０は押しボタン４３である。梁部４３０Ａは押しボタン４３ａであり、梁部４３０Ｂは押しボタン４３ｂである。梁部についても区別の必要がない場合は、梁部４３０と記す。
【００２０】
梁部４３０は、一方の面１７Ａを超えている部分４３１が点検スイッチ４５に接触可能である。
【００２１】
回路基板１７は、点検スイッチ４５として、第１の点検スイッチ４５Ａと第２の点検スイッチ４５Ｂとが配置されている。ケース１５は、梁部４３０として、弾性変形した場合に回路基板１７の一方の面１７Ａを超えている部分４３１が第１の点検スイッチ４５Ａに接触可能な第１の梁部４３０Ａと、弾性変形した場合に一方の面１７Ａを超えている部分４３１が第２の点検スイッチ４５Ｂに接触可能な第２の梁部４３０Ｂとを有している。
【００２２】
＜押しボタン４３＞
梁部４３０である押しボタン４３をさらに説明する。ケース１５の側面には、回路基板１７に実装された点検スイッチ４５に対応する場所に押しボタン４３が設けられている。押しボタン４３は、ケース１５の底面側より開口面側に向かってケース１５の側面にスリット４４が設けられ、ケース１５の開口面側に回路基板１７に実装された点検スイッチ４５に対応する突起部４３２が設けられている。
ここで、押しボタン４３は、スリット４４（図１０）を長く設けるほど、小さい力で押しボタン４３を押すことが可能になる。
また、点検スイッチ４５を押す際、つまり押しボタン４３を押す際は、押しボタン４３の根元から変形するが、スリット４４が長く設けられるほど、片持ち梁の形状の押しボタン４３の根元に発生する応力が小さくなり、破損しにくくなる。
そこで、本実施の形態では、スリット４４をケース１５の底面側より設けることで、つまり、押しボタン４３をケース１５の底部１５Ａから延びるように設けることで、破損しにくく、また、小さい力で点検スイッチ４５を押すことを可能としている。
また、ケース１５に対し、回路基板１７のハンダ面側（他方の面１７Ｂの側）は、ケース１５の底部１５Ａに対向するように配置されるため、スリット４４（押しボタン４３）を長く設けた場合においても、回路基板１７の部品と干渉することが無い。
押しボタン４３は回路基板１７に対し、適当なクリアランスを設け、そのクリアランスに対し、点検スイッチ４５を押すための突起部４３２を設けることで、点検スイッチ４５以外の部品に干渉することなく、小さい力で押しボタン４３を操作する事が可能となる。また突起部４３２によって、押しボタン４３を折れにくくすることが可能となる。
また、回路基板１７の一方の面１７Ａである部品面に対して垂直にスリット４４を配置することで、点検スイッチ４５Ａ、点検スイッチ４５Ｂのように複数の点検スイッチ４５が隣接する場合も、押しボタン４３ａ，押しボタン４３ｂのように、容易に複数の押しボタン４３を配置できる。
【００２３】
＜モニタ用ＬＥＤ＞
回路基板１７の基板端部側には点検スイッチ４５と共に、モニタ用ＬＥＤ４２が実装されている。モニタ用ＬＥＤ４２は照明器具１の状態を示す機能を有しており、本実施の形態においては３個のモニタ用ＬＥＤ４２が設けられている。モニタ用ＬＥＤ４２はそれぞれ緑色、赤色、橙色となっている。
【００２４】
図１６は、モニタ用ＬＥＤ４２の色および状態と、照明器具１の状態との関係を示す表である。ここで、自己点検とは、蓄電池１１によって光源５を規定時間（非常用照明器具においては３０分または６０分）点灯させることが可能であるか否かを、電源ユニット４の点検回路によって点検する機能のことをいう。なお、自己点検を実施するには、蓄電池１１が規定時間（非常用照明器具においては４８時間。）連続して充電されていることが必要である。
また、本実施の形態においては、リモートコントローラによる点検実施の際に、自己点検が可能であるか否かを表示する機能を有しており、リモートコントローラで所定の操作を実施することにより、本体に以下の表示をすることができる。緑色ＬＥＤと橙色ＬＥＤとの点滅は、自己点検可能であることを示す。橙色ＬＥＤと赤色ＬＥＤとの点滅は、自己点検不可であることを示す。なお、モニタの個数や色、表示方法は一例であり、記載内容に限定するものではない。また、ＬＥＤは１個以上搭載していればよく、機能に応じて適宜増減が可能である。
【００２５】
＜ＬＥＤ隔壁１６４＞
ＬＥＤ隔壁１６４を説明する。収納ケース８２は、回路基板１７に配置されたモニタ用ＬＥＤ４２に対応する位置に、色混ざり防止の為の隔壁を有する。図１０、図１１に示すように、回路ユニットである電源ユニット４は、複数のモニタ用光源である複数のモニタ用ＬＥＤ４２が配置された回路基板１７と、この回路基板１７を収納しており、モニタ用ＬＥＤ４２どうしの間を仕切る隔壁であるＬＥＤ隔壁１６４を有する収納ケース８２とを備えている。複数のモニタ用ＬＥＤ４２は、列状に配置されている。ＬＥＤ隔壁１６４は、回路基板１７の一方の面１７Ａに当接し、回路基板１７を支持している。
【００２６】
ケース１５には、回路基板１７に実装されたモニタ用ＬＥＤ４２ａ，４２ｂ，４２ｃに対応する開口１５６ａ，１５６ｂ，１５６ｃが、モニタ用ＬＥＤ４２ａ，４２ｂ，４２ｃに面する側面部に設けられている。モニタ用ＬＥＤ４２ａ，４２ｂ，４２ｃは区別の必要がない場合はモニタ用ＬＥＤ４２と記す。開口１５６ａ，１５６ｂ，１５６ｃは区別の必要がない場合は開口１５６と記す。
一方、カバー１６には、回路基板１７に実装されたモニタ用ＬＥＤ４２の間に位置するＬＥＤ隔壁１６４ａ，１６４ｂ，１６４ｃが設けられている。ＬＥＤ隔壁１６４ａ，１６４ｂ，１６４ｃは区別の必要がない場合はＬＥＤ隔壁１６４と記す。ＬＥＤ隔壁１６４によって、回路基板１７に実装されたモニタ用ＬＥＤ４２が点灯した際に、電源ユニット４の収納ケース８２の内部でモニタ用ＬＥＤ４２どうしの光が混ざり、色の判別がし難くなることが防止できる。
また、ＬＥＤ隔壁１６４は回路基板１７に当接する様に配置されており、ケース１５とカバー１６が組み合った時に、回路基板１７を固定する機能を有する。ＬＥＤ隔壁１６４が回路基板１７に当接することにより、ケース１５とカバー１６が組み合わされた場合に、回路基板１７が固定される。なお図１１では、ＬＥＤ隔壁１６４ａ、１６４ｂの間にモニタ用ＬＥＤ４２ｂが位置し、ＬＥＤ隔壁１６４ｂ、１６４ｃの間にモニタ用ＬＥＤ４２ｃが位置する。
【００２７】
＜光源ユニット５０＞
図１７は、光源ユニット５０の斜視図である。
図１８は、光源ユニット５０の５面図である。
光源ユニット５０は、光源５と、レンズ６と、ヒートシンク７と、熱伝導シート８と、レンズホルダー９とを備える。図示はないが、光源５は、熱伝導シート８を介してヒートシンク７に接している。レンズホルダー９は、光源５が熱伝導シート８を介してヒートシンク７に接した状態で、光源５をヒートシンク７に押し付けながらネジ９１１（図１８）によりヒートシンク７に固定される。
【００２８】
＜光源５＞
図１９は、光源５の一例を示す図である。
図２０は、光源５の別例を示す図である。
光源５は、１個ないしは複数個のＬＥＤ５２が実装される光源基板５１、光源基板５１上に実装されるコネクタ５３を備えている。光源５は、電源ユニット４からの電力供給により点灯する。電源ユニット４と光源５はハーネス１０により電気的に接続される。光源５は、光源基板５１のＬＥＤ実装面の裏面が熱伝導シート８を介してヒートシンク７に接した状態で、レンズホルダー９によりヒートシンク７に固定される。光源５はＣＯＢ（Ｃｈｉｐ  Ｏｎ  Ｂｏａｒｄ）タイプのＬＥＤを用いてもよい。その場合は光源基板５１の代わりに、電源ユニット４との電気的接続のためのソケットといった接続部材を用いる。
【００２９】
＜レンズ６＞
レンズ６は、光源５の光を所望の方向に制御する光学部６１と、光学部６１の周囲に設けられたレンズ鍔部６２とを有する。レンズ６はガラスなどの不燃材、もしくはＰＭＭＡ、ＰＣといった透明樹脂で成型される。照明器具１を非常用照明器具とする場合は、外郭を難燃材料とする必要がある。このため、レンズ６はガラスであることが望ましい。非常用照明器具とする場合において、レンズ６を透明樹脂とする場合は、レンズの外側に不燃材であるガラスカバー等を配設する必要がある。
図２１は、レンズ６の形状のバリエーションＶ１〜Ｖ５を示す図である。
【００３０】
＜ヒートシンク７＞
ヒートシンク７は光源５より発生する熱を放熱する。ヒートシンク７の形状は光源５の出力に応じて適宜形状変更される。ヒートシンク７はアルミニウム合金といった熱伝導率の高い金属とすることが望ましい。また、ヒートシンク７は、本体２あるいは枠１４に熱的に接続させることにより、他部材に放熱する構造とすることで、ヒートシンク７そのものを小型化することが可能である。本実施の形態では、ヒートシンク７は光源５からの熱を受ける受熱部７１と、熱を放熱する放熱部７２を備えている。
【００３１】
＜熱伝導シート８＞
熱伝導シート８はシリコン系材料やアクリル系材料からなる。光源５より発生する熱をヒートシンク７に伝えるために使用する。光源５とヒートシンク７が互いにアルミニウム合金といった金属で構成される場合、金属同士を直接接触させて熱的に接続する場合と比べ、熱伝導シート８を光源５とヒートシンク７の間に挟むことにより、接触面における接触熱抵抗を下げることができる。また、熱伝導シート８が絶縁性能を有しているものとすることで、光源基板５１とヒートシンク７の絶縁を確保することが可能である。
【００３２】
＜レンズホルダー９＞
図２２は、本実施の形態に係るホルダ９の斜視図であり、（ａ）はヒンジ部９０２が別部品となっているホルダ９、（ｂ）はヒンジ部９０２を有しており、ヒンジ部９０２が開いた状態のホルダ９を示す図である。
図２３は、図２２の（ａ）のヒンジホルダ９の５面図である。
図２４は、ヒンジ部９０２を有しており、ヒンジ部９０２が開いた状態のホルダ９の４面図である。なお、ヒンジ部９０２が別部品のホルダ９は、ヒンジ部９０２に相当する別部品を取り付けることにより、ヒンジ部９０２を有するホルダ９と同様の機能を有する。レンズホルダー９は光源５、レンズ６、熱伝導シート８、およびヒートシンク７を保持する機能を備えている。レンズホルダー９において、光源５を配置する側の全体を光源配置部９１０（図２４）とし、レンズ６を配置する側の全体をレンズ配置部９２０（図２４）とする。また、光源５と電源ユニット４を接続するハーネス１０は、レンズホルダー９のハーネス保持部９８１，９８２，９８３に固定される。レンズホルダー９は、ＰＣ、ＰＣ＋ＡＢＳ、ＰＰといった合成樹脂で成型される。レンズホルダー９は光源５、レンズ６、熱伝導シート８、およびヒートシンク７を保持した状態で、電源ユニット４のカバー１６の長穴１６６に取り付けられる。ハーネス１０はレンズホルダー９が電源ユニット４に取り付けられた状態で、回路基板１７に接続される。
【００３３】
ここでレンズホルダー９の構造について詳細に説明する。レンズホルダー９は、軸部９１、取付用爪９２、基板位置決め部９３、基板押圧部９４、ハーネス保持部９８１，９８２，９８３、Ｌ字リブ９０１、ヒンジ部９０２を有する。
軸部９１は、電源ユニット４の軸取付部１５５に取り付けられる。取付用爪９２は、ヒートシンク７の角穴７３へ差し込まれることでレンズホルダー９にヒートシンク７が取り付けられる。レンズホルダー９の光源配置部９１０に基板位置決め部９３、基板押圧部９４、ハーネス保持部９８１，９８２，９８３を有する。ハーネス１０は、ハーネス保持部９８１，９８２，９８３により保持され、位置決めされる。
レンズホルダー９は、レンズ配置部９２０にＬ字リブ９０１、および、ヒンジ部９０２を有する。レンズ６をＰ２方向（図２２の（ｂ））にスライドさせ、Ｌ字リブ９０１にレンズ鍔部６２を挿入する。Ｌ字リブ９０１はレンズ鍔部６２を押さえて、レンズ６の上下方向を規制する。ヒンジ部９０２は、レンズホルダー９がレンズ６を保持した状態でレンズ６の径方向に曲げられることでレンズ６を固定する。
【００３４】
また、挿入されたレンズ６が外れることを防止するための凹部９０３および凸部９０５を有する。また、レンズホルダー９のレンズ配置部９２０には、突起９０４が形成される。突起９０４は、レンズホルダー９のレンズ配置部９２０の周縁部に４箇所形成されている。
【００３５】
＜光源ユニット５０の組み立てについて＞
光源５、レンズホルダー９、ヒートシンク７、熱伝導シート８、およびレンズ６は光源ユニット５０としてユニット化できるため、器具の組立作業を分け、前作業として行うことも可能であり組立作業方法の幅が広がる。
【００３６】
光源５、レンズホルダー９、ヒートシンク７、熱伝導シート８、およびレンズ６から構成される光源ユニット５０の組み立てについて説明する。
（１）まず、レンズホルダー９に、ハーネス１０の一端側を挿し込んだ状態の光源５を配設する。その際に、基板位置決め部９３と光源基板５１の曲線部を合わせることで光源５の位置が決まる構造となっている。
（２）光源５を配置後、ハーネス１０をハーネス保持部９８１へ押し込む。これにより、ハーネス１０が固定され、光源５のコネクタ５３へ応力がかかることを防止する。その後、ハーネス１０を、ハーネス保持部９８２に引っ掛け、ハーネス保持部９８３に通す。これによりヒートシンク７を取り付ける際のハーネス１０の挟み込み、ヒートシンク７のエッジによるハーネス１０の被覆の損傷を防ぐことができる。
（３）その後は、光源基板５１のＬＥＤ実装面の裏面に熱伝導シート８を乗せ、レンズホルダー９の取付用爪９２をヒートシンク７の角穴７３に挿入する。これによりヒートシンク７、熱伝導シート８をレンズホルダー９に仮止めすることができる。仮止めすることにより光源５の外れを防止するとともに作業性が向上する。
（４）次に、レンズホルダー９のレンズ配置部９２０にレンズ６を取り付ける。レンズ６は水平方向（図２２の（ｂ）のＰ２方向）にスライドさせることでＬ字リブ９０１へはめ込まれる。その際にレンズホルダー９に設けられた凹部９０３、凸部９０５により、レンズホルダー９から不意に外れてしまうことを防止する。水平方向へのスライドさせる取り付けとすることで、器具取付状態においては、Ｌ字リブ９０１に対し、垂直方向に自重がかかる状態となり、Ｌ字リブ９０１が破損しない限り、レンズ６がレンズホルダー９から外れて落下することがない。
（５）レンズ６の取付後、ヒンジ部９０２を折り曲げることでレンズ６の位置が固定され、スライド不可となりレンズ６がレンズホルダー９から外れることはなくなる。ヒンジ部９０２は、図２２の（ｂ）および図２４に示すように、レンズホルダー９と一体の樹脂ヒンジ構造とすることで部品点数を削減し、コスト削減を可能とした。なお、ヒンジ部９０２を別部材としてもよい。
（６）最後に、ネジ２本をレンズホルダー９の側よりヒートシンク７へ固定することで光源ユニット５０が組立てられる。ネジ９１１で固定することにより、レンズホルダー９の基板押圧部９４が光源基板５１を熱伝導シート８およびヒートシンク７へ押さえつけ、効率よく放熱させる構造となっている。
【００３７】
図１９，２０および図２１に示すように、光源５およびレンズ６の各々が複数種類ある場合、組み合わせることで複数の光源ユニット５０ができあがる。また、電源ユニット４についても複数種類ある場合においても、同構造とすることで、作業者の組立効率を向上させる効果がある。
【００３８】
＜光源ユニット５０の回転について＞
図２５は、光源ユニット５０の回転を示す図であり、光源ユニット５０が開いた状態を示す斜視図である。光源ユニット５０をＰ３方向に回転することで、光源ユニット５０を電源ユニット４に取り付けることができる。逆に、光源ユニット５０が電源ユニット４に保持されている状態から光源ユニット５０をＰ４方向に回転することで、電源ユニット４による光源ユニット５０の保持状態を、光源ユニット５０が回動自在な状態にすることができる。なお光源ユニット５０が電源ユニット４に保持されている状態の図は示していないが、光源ユニット５０が電源ユニット４に保持されている状態は、図３０の光源ユニット５０と電源ユニット４との関係に同じである。
図２６は、光源ユニット５０の回転を示す図であり、光源ユニット５０が開いた状態を示す斜視図である。
図２７は、光源ユニット５０の回転を示す図であり、光源ユニット５０が開いた状態を示す側面図である。レンズホルダー９は電源ユニット４に取り付けられた状態において、レンズホルダー９の軸部９１を軸として回転運動が可能となっている。レンズホルダー９が回転運動をする場合において、ハーネス１０に張力が係ることを防止するために、ハーネス１０はレンズホルダー９の軸部９１の近傍に保持あるいは固定されることが望ましい。よって、レンズホルダー９は、軸部９１のそばにハーネス保持部９８３が形成されている。
光源ユニット５０がＰ３方向に回転し、レンズホルダー９の位置固定部９７が電源ユニット４のカバー１６の長穴１６６に挿入され、光源ユニット５０が閉じた状態となる。このように光源ユニット５０が閉じた状態では、光源ユニット５０は、天井面といった取付面と水平方向で保持される。なお、この状態において、電源ユニット４の信号受信部４１が照明器具１の外郭から視認可能となるように、レンズホルダー９および、ヒートシンク７にはそれぞれ信号受信部４１に対応する場所に穴もしくはスリットが設けられている。蓄電池１１の取付、交換作業時においては、光源ユニット５０を天井面と垂直方向に回転させることで蓄電池１１を着脱することが可能となる。このように、レンズホルダー９が可動することにより、本体２の内部をレンズホルダー９に搭載する部品の形状に係らず、有効に利用することが可能となる。
【００３９】
＜光源ユニット５０における上下方向の可動について＞
また、光源ユニット５０は、落下方向に対し可動可能となるように配置される。可動することによりヒートシンク７が枠１４に接触し、よりヒートシンク７の放熱効果が向上するとともに枠１４に対し水平に規制され、所望の配光も得られる。落下方向へ可動可能とするためにレンズホルダー９の軸部９１の軸の形状を円ではなく、半円状とすることで実現している。
【００４０】
さらに、光源５への出力が少ない機種においては、放熱板が枠１４への接触が不要の機種もある。そういった機種については、枠１４には接触させず、可能な限り小形化することが望まれる。ヒートシンク７が枠１４に接触せずレンズホルダー９の突起９０４が枠１４に接触することにより、枠１４に対し水平方向に規制する機能は失われない。
【００４１】
＜蓄電池１１＞
図１４および図１５に示すように、蓄電池１１は略直方体形状となっており、電源ユニット４に嵌め合わされることで固定される。蓄電池１１は、電源ユニット４と当接する面に突出したコネクタ部１１１を有しており、電源ユニット４のカバー１６に設けられた接続部１６７と接続されることで電気的に接続される。略直方体形状のケース１１４には円筒状の蓄電池セル１１５が収納されている。照明器具１に要求される光出力に応じて、ケース１１４に収納する蓄電池セル１１５の本数を変更することが可能であり、１種類のケース１１４で様々な照明器具１の出力形態に対応が可能となる。
また、蓄電池１１はコネクタ部１１１を有する面の反対側の面を電源ユニット４と当接させて本体２の内部に収納可能となる様にコネクタ部１１１が形成されている。これは、照明器具１の輸送時に梱包に収納する際、電気的接続を行わずに本体２内に収納可能とすることにより、蓄電池１１を本体２の外に別途配置して梱包する必要が無く、照明器具１の梱包形態を小型化する効果を奏する。
【００４２】
＜光源ユニット５０と蓄電池１１との配置関係＞
光源ユニット５０と蓄電池１１との配置関係を説明する。光源ユニット５０は電源ユニット４で保持されており、蓄電池１１は光源ユニット５０よりも上側に配置されている。光源ユニット５０よりも上側に蓄電池１１が配置されているので、照明器具１の横方向の大きさを抑制できる。つまり、図２のように、照明器具１の本体２を直径がφｄの中空円筒とみなした場合、φｄを小さくすることができる。照明器具１は、光源基板５１と、蓄電池１１と、電源ユニット４と、レンズホルダー９と備えている。
（１）図１９に示すように、光源基板５１は実装面５１ａに、発光する発光部であるＬＥＤ５２が配置されている。
（２）電源ユニット４は、商用電源から電力供給が有る場合は商用電源の電力で蓄電池１１を充電し、商用電源から電力供給が途絶えた場合は蓄電池１１の電力でＬＥＤ５２を点灯させる。
（３）レンズホルダー９には光源基板５１が収容される。レンズホルダー９は、電源ユニット４に保持されている。
（４）上記（１）から（３）の構成のもとで、図３、図１９、図２５、図２６、図３０等からわかるように、光源基板５１の実装面５１ａは、蓄電池１１と、ＬＥＤ５２との間に位置することとなる。
【００４３】
また、図２５、図２６に示すように、レンズホルダー９は、電源ユニット４に保持されている状態を解除された場合に、電源ユニット４に対して回動自在である。
【００４４】
図１０、図１１に示すように、電源ユニット４は、無線信号を受信する無線信号受信部である信号受信部４１を有する。照明器具１は、レンズホルダー９を覆う枠１４を備えているが、図４、図１１、図２５、図２６、図３１等からわかるように、レンズホルダー９は、信号受信部４１と枠１４との間に位置する。
【００４５】
そして、電源ユニット４と、レンズホルダー９と、枠１４とは、信号受信部４１が露出する空間８１を形成している。つまり、図１、図４に示すように、電源ユニット４のケース１５、レンズホルダー９，枠１４には、貫通穴８１Ａ，８１Ｂ，８１Ｃが形成されている。貫通穴８１Ａ，８１Ｂ，８１Ｃは連通しており空間８１を形成している。
【００４６】
図２６に示すように、蓄電池１１は、レンズホルダー９が電源ユニット４に保持されている状態を解除されて電源ユニット４に対して回動された場合に、レンズホルダー９が電源ユニット４に保持されている状態における実装面５１ａのＤ方向へ、取り出し可能である。
【００４７】
＜取付金具１３＞
図２８は、取付金具１３の斜視図である。
図２９は、取付金具１３の６面図である。
取付金具１３は、電源ユニット４および端子台１２を固定する機能を有する。取付金具１３には、電源ユニット４を取り付けるためのユニット取付穴１３１，１３２が設けられる。ユニット取付穴１３１に、電源ユニット４の取付爪部１５２を嵌める。また、ユニット取付穴１３２に電源ユニット４の取付爪部１６１を嵌める。これにより、取付金具１３に電源ユニット４が固定される。また、端子台１２は取付金具１３の端子台取付部１３３にネジで固定される。取付金具１３の引っ掛け部１３５は、本体２の天板の取付穴２５（図３もしくは図５）に引っ掛けられる。また、取付金具１３は、本体２の天板のネジ穴２６とネジ取付部１３４とをネジで固定することにより、本体２に取り付けられる。
【００４８】
＜ＳＵＢ−ＡＳＳＹ６０＞
図３０は、ＳＵＢ−ＡＳＳＹ６０の斜視図である。
図３１は、ＳＵＢ−ＡＳＳＹ６０の斜視図である。
図３２は、ＳＵＢ−ＡＳＳＹ６０の５面図である。
ＳＵＢ−ＡＳＳＹ６０は、取付金具１３に取り付けられた電源ユニット４および端子台１２と、電源ユニット４に取り付けられた光源ユニット５０とを備える。電源ユニット４に光源ユニット５０を取り付け、取付金具１３に電源ユニット４および端子台１２を固定することで、本体２に内蔵される部品が一体に形成される。この一体に形成された状態をＳＵＢ−ＡＳＳＹ６０とする。ＳＵＢ−ＡＳＳＹ６０には本体２にＳＵＢ−ＡＳＳＹ６０を固定する為の電源ユニット４のケース１５に形成された引っ掛け部１５１と、取付金具１３に設けられたネジ取付部１３４、引っ掛け部１３５が設けられている。
【００４９】
＜ＳＵＢ−ＡＳＳＹ６０の本体２への固定方法＞
次にＳＵＢ−ＡＳＳＹ６０を本体２に固定する方法について説明する。図５，６に示すように、本体２には取付穴２４、取付穴２５、ネジ穴２６が設けられている。まず、ＳＵＢ−ＡＳＳＹ６０の電源ユニット４に取り付けられているレンズホルダー９を電源ユニット４の蓄電池取付面に対し、平行となる位置にセットする。次に、ＳＵＢ−ＡＳＳＹ６０の電源ユニット４の引っ掛け部１５１を本体２の取付穴２４の挿入部２４１に挿入し、取付穴２４の固定部２４２の方向にＳＵＢ−ＡＳＳＹ６０をスライドさせる。ＳＵＢ−ＡＳＳＹ６０をスライドした状態において、本体２のネジ穴２６と取付金具１３にネジ取付部１３４の位置が一致するので、その状態でネジを用いて固定する。
【００５０】
本実施の形態において、本体２は天井内に埋め込まれる形状としているが、天井内に埋め込まれる形状でなく、天井に直付される形状としてもよい、その場合は、本体２の形状はごく浅い筒状や、円盤状に形成することができる。
【００５１】
＜枠１４＞
図３３は、枠保持バネ１４１の斜視図である。
図３４は、枠保持バネ１４１の４面図である。
図３５は、取付バネ３の斜視図である。
図３６は、取付バネ３の５面図である。
図３７は、取付バネ３と枠保持バネ１４１との取り付け状態を示す図である。
枠１４は本体２の開口部２２を塞ぐ様に配設される。枠１４は中央部にレンズに対応する穴が開けられている。また、押しボタン４３、モニタ用ＬＥＤ４２、信号受信部４１に対応する箇所にもそれぞれに対応して穴が開けられている。枠１４には本体２に取り付けるための枠保持バネ１４１が取り付けられている。枠保持バネ１４１が本体２の枠取付部に嵌合することで、枠１４が本体２に保持される。枠保持バネ１４１は本実施の形態においては２個同じものを使用しているが、１個ないしは３個以上としてもよい。また、複数個使用する場合において、同形状のものとする必要は無く、要求される機能に応じて別の形状としてもよい。別の形状の例としては、片側は本実施の形態と同様板バネとし、もう一方は線バネ（Ｖバネ）で構成し、仮保持を可能とする、等が挙げられる。
【００５２】
実施の形態２．
実施の形態２では、実施の形態１と異なる点について説明する。実施の形態２において、実施の形態１と同様の構成については同一の符号を付し、その説明を省略する。
【００５３】
図３８は、実施の形態２の照明器具１の分解斜視図である。
図３９は、実施の形態２の光源ユニット５０の回転を示す図であり、光源ユニット５０が開いた状態を示す斜視図である。
図４０は、実施の形態２の光源ユニット５０の５面図である。
図４１は、実施の形態２の光源ユニット５０の分解斜視図である。
実施の形態２では、ヒートシンク７ａの形状が、実施の形態１で説明したヒートシンク７の形状と異なる。ヒートシンク７ａは、枠１４の裏面に当接する構成である。
【００５４】
枠１４はヒートシンク７と接触する様に本体２に取り付けられる。ヒートシンク７ａから伝えられた熱は枠１４より、照明器具１の外部へと放熱される。放熱効果を向上する為には、枠１４の材質をアルミニウム合金等の熱伝導率の大きい材質にすることや、枠１４を塗装することで放射率を大きくすることが挙げられる。また、枠１４とヒートシンク７ａの接触面積を増やすことや、枠１４そのものの面積を大きくすることも効果的である。
【００５５】
実施の形態３．
実施の形態３では、実施の形態１および２と異なる点について説明する。実施の形態３において、実施の形態１および実施の形態２と同様の構成については同一の符号を付し、その説明を省略する。
【００５６】
図４２は、実施の形態３の照明器具１ｂの斜視図である。
図４３は、実施の形態３の照明器具１ｂの５面図である。
図４４は、実施の形態３の照明器具１ｂの分解斜視図である。
実施の形態３の照明器具１ｂでは、本体２ｂおよび枠１４ｂの形状が実施の形態１で説明した本体２および枠１４の形状と異なる。
【００５７】
実施の形態３の照明器具１ｂは天井面に開口を設けず、直接ネジ等の締結部材を用いて部材に固定するタイプである。本体２ｂは円盤状の形状となっており、内蔵される電気部品は実施の形態１と同じ構成となっている（ＳＵＢ−ＡＳＳＹ６０が内蔵される）。
本体２ｂには天井に取り付けるための取付穴２５ｂが設けてある。この取付穴は６６．７ｍｍピッチおよび８３．５ｍｍピッチといったボックス等の標準寸法に合わせたものとなっている。なお、ＳＵＢ−ＡＳＳＹ６０はこのピッチに取り付ける際の作業性を考慮し、ドライバー等の工具を使用してネジを取付ける場合においても干渉しない様にレイアウトされている。
また、本体２ｂには枠１４ｂを取り付けるための保持バネ２６ｂが取り付けてある。保持バネ２６ｂは線状のバネより構成されており、本体２ｂの側面バネ固定部２７ｂに挿し込まれることにより固定される。
枠１４ｂは円筒状となっており、内面に保持バネ２６ｂが挿入されるバネ取付金具１４２ｂを有している。バネ取付金具１４７ｂは枠１４の中心を軸として対称に配置されている。実施の形態３においては２個としているが、照明器具１ｂの大きさに応じて適宜変更してもよい。
枠１４ｂの底面部は実施の形態１と同様の形状となっており、中央の開口部よりレンズ６が露出し、その近傍にある開口からは押しボタン４３およびモニタ用ＬＥＤ４２、信号受信部４１が視認可能となっている。
【００５８】
図４５は、本実施の形態に係る照明器具１ｂの別例の照明器具１ｂ−１の斜視図である。
図４６は、本実施の形態に係る照明器具１ｂの別例の照明器具１ｂ−１の５面図である。
図４７は、本実施の形態に係る照明器具１ｂの別例の照明器具１ｂ−１の分解斜視図である。
図４８は、本実施の形態に係る電源線保護用ブッシュ１２ａの５面図および斜視図である。本実施の形態では、実施の形態１において端子台取付部１３３を含む、取付金具１３の端子台１２が取り付けられる箇所に、端子台１２の代わりに、電源線保護用ブッシュ１２ａが取り付けられる。端子台１２を取付金具１３に取り付けず、器具内の別の箇所に配置する場合に、電源線保護用ブッシュ１２ａを取り付けることで、当該箇所、すなわち、実施の形態１で端子台１２の取り付けられている場所に対応する穴より電源線を引き込むことが可能となる。電源線保護用ブッシュ１２ａは、ガイド部１２ｂと、取付部１２ｃと、引っ掛け凸部１２ｄとを有する。ガイド部１２ｂは、湾曲した傾斜面によって、引き込まれてきた電源線を案内する。取付部１２ｃは、両側に１つずつ設けられ、それぞれ取付金具１３の対応する連結部１３９の端子台取付部１３３から立ち上がっている部分に形成された切り欠きに引っ掛けられる。引っ掛け凸部１２ｄは、端子台取付部１３３に形成された穴に引っ掛けられる。
【００５９】
レースウェイ等のレール形状の部材に器具を取り付ける場合においては、レール内に電線を収納することが困難なため、器具内に電線を収納できるようにすることが望ましい。このような構成とすることで、同一の取付金具１３を用いた上で端子台１２を器具内に配置し、電線を器具内に収納する構造とすることが可能となる。
【００６０】
上記のように、本実施の形態において、取付金具１３の端子台取付部１３３には、端子台１２の代わりに、電源線保護用ブッシュ１２ａが取り付けられる。電源線保護用ブッシュ１２ａは、外部電源と電気接続するための電源線の一部を収納する。
【００６１】
このような器具構成においても、ＳＵＢ−ＡＳＳＹの部材が共通であることから、実施の形態１における効果が同様に得られることとなる。
【００６２】
実施の形態１から実施の形態３のうち、複数の部分を組み合わせて実施しても構わない。あるいは、これらの実施の形態のうち、１つの部分を実施しても構わない。その他、これらの実施の形態を、全体としてあるいは部分的に、どのように組み合わせて実施しても構わない。
なお、上述した実施の形態は、本質的に好ましい例示であって、本発明の範囲、本発明の適用物の範囲、および本発明の用途の範囲を制限することを意図するものではない。上述した実施の形態は、必要に応じて種々の変更が可能である。
【符号の説明】
【００６３】
１ａ，１ｂ  照明器具、１０  ハーネス、１１  蓄電池、１１１  コネクタ部、１１２  蓄電池側ガイド部、１１３  固定部、１１４  ケース、１１５  蓄電池セル、１２  端子台、１２ａ  電源線保護用ブッシュ１２ａ、１２ｂ  ガイド部、１２ｃ  取付部、１２ｄ  引っ掛け凸部、１３  取付金具、１３１，１３２  ユニット取付穴、１３３  端子台取付部、１３４  ネジ取付部、１３５  引っ掛け部、１４，１４ｂ  枠、１４１  枠保持バネ、１４２ｂ  バネ取付金具、１５  ケース、１５Ａ  底部、１５１  引っ掛け部、１５２  取付爪部、１５３  ガイド部、１５５  軸取付部、１５６  開口、１６  カバー、１６１  取付爪部、１６２  ガイド部、１６３  溝部、１６４  ＬＥＤ隔壁、１６６  長穴、１６７  接続部、１７  回路基板、１７Ａ  一方の面、１７Ｂ  他方の面、２，２ｂ  本体、２Ａ  一方の端部、２Ｂ  他方の端部、２Ｃ  側部、２Ｄ  端板、２０１  平面部、２１  鍔部、２２  開口部、２３  開口、２４  取付穴、２４１  挿入部、２４２  固定部、２５，２５ｂ  取付穴、２６  ネジ穴、２６ｂ  保持バネ、２７ｂ  側面バネ固定部、２８  外側表面、２８Ａ  第１の面、２８Ｂ  第２の面、３  取付バネ、３１  バネ取付部、３２  枠取付部、４  電源ユニット、４１  信号受信部、４２，４２ａ，４２ｂ，４２ｃ  モニタ用ＬＥＤ、４３，４３ａ，４３ｂ  押しボタン、４３０，４３０Ａ，４３０Ｂ  梁部、４３２  突起部、４４  スリット、４５，４５Ａ，４５Ｂ  点検スイッチ、５  光源、５０  光源ユニット、５１  光源基板、５１ａ  実装面、５２  ＬＥＤ、５３  コネクタ、６  レンズ、６０  ＳＵＢ−ＡＳＳＹ、６１  光学部、６２  レンズ鍔部、７，７ａ  ヒートシンク、７１  受熱部、７２  放熱部、７３  角穴、７４  光源収容部、８  熱伝導シート、８１  空間、８１Ａ，８１Ｂ，８１Ｃ  貫通穴、８２  収納ケース、９  レンズホルダー、９１  軸部、９２  取付用爪、９３  基板位置決め部、９４  基板押圧部、９７  位置固定部、９０１  Ｌ字リブ、９０２  ヒンジ部、９０３  凹部、９０４  突起、９０５  凸部、９１０  光源配置部、９１１  ネジ、９２０  レンズ配置部、９８１，９８２，９８３  ハーネス保持部。
【図１】
2019012651.tif 000003
【図２】
2019012651.tif 000004
【図３】
2019012651.tif 000005
【図４】
2019012651.tif 000006
【図５】
2019012651.tif 000007
【図６】
2019012651.tif 000008
【図７】
2019012651.tif 000009
【図８】
2019012651.tif 000010
【図９】
2019012651.tif 000011
【図１０】
2019012651.tif 000012
【図１１】
2019012651.tif 000013
【図１２】
2019012651.tif 000014
【図１３】
2019012651.tif 000015
【図１４】
2019012651.tif 000016
【図１５】
2019012651.tif 000017
【図１６】
2019012651.tif 000018
【図１７】
2019012651.tif 000019
【図１８】
2019012651.tif 000020
【図１９】
2019012651.tif 000021
【図２０】
2019012651.tif 000022
【図２１】
2019012651.tif 000023
【図２２】
2019012651.tif 000024
【図２３】
2019012651.tif 000025
【図２４】
2019012651.tif 000026
【図２５】
2019012651.tif 000027
【図２６】
2019012651.tif 000028
【図２７】
2019012651.tif 000029
【図２８】
2019012651.tif 000030
【図２９】
2019012651.tif 000031
【図３０】
2019012651.tif 000032
【図３１】
2019012651.tif 000033
【図３２】
2019012651.tif 000034
【図３３】
2019012651.tif 000035
【図３４】
2019012651.tif 000036
【図３５】
2019012651.tif 000037
【図３６】
2019012651.tif 000038
【図３７】
2019012651.tif 000039
【図３８】
2019012651.tif 000040
【図３９】
2019012651.tif 000041
【図４０】
2019012651.tif 000042
【図４１】
2019012651.tif 000043
【図４２】
2019012651.tif 000044
【図４３】
2019012651.tif 000045
【図４４】
2019012651.tif 000046
【図４５】
2019012651.tif 000047
【図４６】
2019012651.tif 000048
【図４７】
2019012651.tif 000049
【図４８】
2019012651.tif 000050